(57)【要約】      （修正有）【課題】異なる解像度の表示装置に対しても、また、観察距離によらず、モアレの発生を抑止でき、表示ユニットの表示画面の視認性を大幅に向上させることができる導電性フイルムの評価方法を提供する。【解決手段】算出された導電性フイルムの配線パターンのピーク周波数及びピーク強度と表示ユニットの画素配列パターンのピーク周波数及びピーク強度とから算出されたモアレの周波数及び強度の中から、表示ユニットの表示解像度に応じて規定されるモアレの最高周波数以下の周波数を持つモアレを選び出し、それぞれのモアレの周波数におけるモアレの強度に人間の視覚応答特性を観察距離に応じて作用させてそれぞれモアレの評価値を得、得られた複数のモアレの評価値からモアレの評価指標を算出し、算出されたモアレの評価指標が所定値以下である導電性フイルムを評価する。【選択図】図６
2018087984.tif 000002
【特許請求の範囲】
【請求項１】
表示装置の表示ユニット上に設置され、複数の金属細線によりメッシュ状に形成された、複数の開口部を配列した配線パターンを有する導電性フイルムの評価方法であって、
前記配線パターンの透過率画像データと、前記配線パターンが重畳される、前記表示ユニットの画素配列パターンの透過率画像データとを取得し、
前記配線パターンの透過率画像データ及び前記画素配列パターンの透過率画像データに対して２次元フーリエ変換を行い、前記配線パターンの透過率画像データの２次元フーリエスペクトルの複数のスペクトルピークのピーク周波数及びピーク強度と、前記画素配列パターンの透過率画像データの２次元フーリエスペクトルの複数のスペクトルピークのピーク周波数及びピーク強度とを算出し、
こうして算出された前記配線パターンの前記ピーク周波数及び前記ピーク強度と前記画素配列パターンの前記ピーク周波数及び前記ピーク強度とからそれぞれモアレの周波数及び強度を算出し、
こうして算出された前記モアレの周波数及び強度の中から、前記表示ユニットの表示解像度に応じて規定されるモアレの最高周波数以下の周波数を持つモアレを選び出し、
こうして選び出されたそれぞれのモアレの周波数における前記モアレの強度に人間の視覚応答特性を観察距離に応じて作用させてそれぞれモアレの評価値を得、
こうして得られた複数の前記モアレの評価値からモアレの評価指標を算出し、
こうして算出された前記モアレの評価指標が所定値以下である導電性フイルムを評価することを特徴とする導電性フイルムの評価方法。
【発明の詳細な説明】
【技術分野】
【０００１】
本発明は、メッシュ状透明導電膜のメッシュ状配線パターン（以下、メッシュパターンともいう）の設計において、電極等の導電性配線を考慮した設計にすることで視認されるモアレの周波数／強度が所定の周波数／強度範囲内に存在するメッシュパターンを持つ導電性フィルムの評価方法に関する。
【背景技術】
【０００２】
表示装置（以下、ディスプレイともいう）の表示ユニット上に設置される導電性フイルムとして、例えば電磁波シールド用の導電性フイルムやタッチパネル用の導電性フイルム等が挙げられる（例えば、特許文献１及び２参照）。
【０００３】
本出願人の出願に係る特許文献１では、例えばディスプレイの画素配列パターン（例えば、ブラックマトリックス（以下、ＢＭともいう）パターン）等の第１のパターン、及び、例えば電磁波シールドパターン等の第２のパターンのそれぞれのパターンデータの２次元フーリエスペクトル（２ＤＦＦＴＳｐ）のスペクトルピーク間の相対距離が、所定の空間周波数、例えば８ｃｍ−１を超えている第２のパターンデータによって生成される第２のパターンを自動的に選定することを開示している。
なお、特許文献１では、上述の相対距離が所定の空間周波数を超えていない場合には、第２のパターンデータの回転角度、ピッチ、パターン幅のいずれか１つ以上を変化させて、新たな第２のパターンデータを生成することを、上述の相対距離が所定の空間周波数を超えるまで繰り返すことも開示している。
こうして、特許文献１では、モアレの発生を抑止でき、表面抵抗率の増大や透明性の劣化をも回避することができる電磁波シールドパターンを自動的に選定できるようにしている。
【０００４】
一方、本出願人の出願に係る特許文献２では、多角形状のメッシュを複数備えるメッシュパターンを有する透明導電膜として、各メッシュの重心スペクトルに関して、所定の空間周波数、例えば人間の視覚応答特性が最大応答の５％に相当する空間周波数よりも高い空間周波数帯域側における平均強度が、所定の空間周波数よりも低い空間周波数帯域側における平均強度よりも大きくなるように、メッシュパターンが形成されている透明導電膜を開示している。
こうして、特許文献２では、パターンに起因するノイズ粒状感を低減可能であり、観察対象物の視認性を大幅に向上できるとともに、断裁後にも安定した通電性能を有する透明導電膜を提供できるとしている。
【先行技術文献】
【特許文献】
【０００５】
【特許文献１】特開２００９−１１７６８３号公報
【特許文献２】特開２０１１−２１６３７９号公報
【発明の概要】
【発明が解決しようとする課題】
【０００６】
ところで、特許文献１は、導電性フイルムの配線パターンを生成するに当たって、ディスプレイのＢＭ（ブラックマトリックス）／配線パターンの周波数情報のみからモアレ周波数を制御し、視認性に優れた配線パターンを提供する技術であるが、モアレが視認される／されないの判定を周波数のみに依存しているため、特許文献１においてモアレが視認されないと判定される周波数の場合であっても、人のモアレの知覚は、周波数のみならず強度にも影響を受けるため、強度によってはモアレが視認される場合があり、モアレの視認性が十分に向上されないという問題があった。特に、特許文献１に開示の技術をタッチパネル用の導電性フイルムに適用する場合、人の指等によって押圧されるため、ＢＭ／配線パターン間に微妙な歪みが生じ、強度によるモアレの視認が助長されるという問題もあり、モアレの視認性の向上が十分でないという問題があった。
【０００７】
また、特許文献２では、透明導電膜のメッシュパターンの各メッシュの重心スペクトルに関し、人間の視覚の応答特性が急激に低下する、所定の空間周波数よりも高い中〜高空間周波数帯域における平均強度を、人間の視覚の応答特性の高い低空間周波数帯域における平均強度より高くすることで、人間にとって視覚的に感じられるノイズ感を減少させているが、透明導電膜のメッシュパターン自体のノイズ感の減少を図るに過ぎず、ディスプレイのＢＭパターンと透明導電膜のメッシュパターンとの間に生じるモアレを抑制し、モアレの視認性を向上させることにはつながらないという問題があった。
【０００８】
本発明は、上記従来技術の問題点を解消し、異なる解像度の表示装置に対しても、また、観察距離によらず、モアレの発生を抑止でき、表示ユニットの表示画面の視認性を大幅に向上させることができる導電性フイルムの評価方法を提供することを目的とする。
また、本発明は、特に、配線を有する透明導電性フイルムをタッチパネル用電極として用いる場合、異なる解像度の表示装置に対しても、また、観察距離によらず、表示装置の表示ユニットのブラックマトリクスに導電性フイルムを重畳して視認する際に大きな画質障害となるモアレの発生を抑止でき、タッチパネル上の表示の視認性を大幅に向上させることができる導電性フイルムの評価方法を提供することを目的とする。
また、本発明は、上記目的に加え、表示装置の表示ユニットのブラックマトリクスが、対称性を有するものであっても、非対称性を有するものであっても、ブラックマトリクスに導電性フイルムを重畳して視認する際にモアレの発生を抑止でき、タッチパネル上の表示の視認性を大幅に向上させることができる導電性フイルムの評価方法を提供することを目的とする。
【課題を解決するための手段】
【０００９】
上記目的を達成する１つの技術として、本出願人は、既に、ディスプレイの画素マトリックス及びメッシュパターンの空間周波数ピークを算出し、各々の空間周波数ピーク差分、ピーク強度積算値で得られるモアレの二次元周波数スペクトル及び強度と、視覚伝達関数との畳み込みにより算出された評価値が所定値を満たす配線パターンを持つ導電性フィルムを特願２０１２−０８２７１１号明細書に提案している。
しかしながら、上記目的を達成する更なる技術の達成のために、本出願人は、更に鋭意研究を重ねた結果、実際にディスプレイ上で視認されているモアレの空間周波数帯域は、ディスプレイによって異なっているが、この技術ではそれが考慮されていないことを知見した。また、本出願人は、ディスプレイ解像度（９０ｄｐｉ程度から５００ｄｐｉ程度）に依存することなく、特定の評価値以内のモアレを定義できなければ、モアレ視認性を解像度に普遍的に改善することが困難であることを知見した。言い換えると、この技術では、高解像度ディスプレイの方が有利な設計(モアレを高周波にもっていける)になるはずが、現実はそうとは言い切れないという技術的な課題があることを本出願人は知見した。
その結果、本出願人は、これらの知見に基づいて、この技術の課題は、用いられている評価値にあることを知見し、本発明に至ったものである。
【００１０】
また、上記目的を達成するために、本発明の態様に係る導電性フイルムの評価方法は、表示装置の表示ユニット上に設置され、複数の金属細線によりメッシュ状に形成された、複数の開口部を配列した配線パターンを有する導電性フイルムの評価方法であって、配線パターンの透過率画像データと、配線パターンが重畳される、表示ユニットの画素配列パターンの透過率画像データとを取得し、配線パターンの透過率画像データ及び画素配列パターンの透過率画像データに対して２次元フーリエ変換を行い、配線パターンの透過率画像データの２次元フーリエスペクトルの複数のスペクトルピークのピーク周波数及びピーク強度と、画素配列パターンの透過率画像データの２次元フーリエスペクトルの複数のスペクトルピークのピーク周波数及びピーク強度とを算出し、こうして算出された配線パターンのピーク周波数及びピーク強度と画素配列パターンのピーク周波数及びピーク強度とからそれぞれモアレの周波数及び強度を算出し、こうして算出されたモアレの周波数及び強度の中から、表示ユニットの表示解像度に応じて規定されるモアレの最高周波数以下の周波数を持つモアレを選び出し、こうして選び出されたそれぞれのモアレの周波数におけるモアレの強度に人間の視覚応答特性を観察距離に応じて作用させてそれぞれモアレの評価値を得、こうして得られた複数のモアレの評価値からモアレの評価指標を算出し、こうして算出されたモアレの評価指標が所定値以下である導電性フイルムを評価することを特徴とする。
【００１１】
上記の態様において、所定値が、−１．７５であり、
評価指標は、常用対数で、−１．７５以下であることが好ましく、より好ましくは、−１．８９以下であり、さらに好ましくは、−２．０５以下であり、最も好ましくは、−２．２８以下であるのが良い。
また、モアレの最高周波数は、表示ユニットの表示ピッチをｐ（μｍ）とする時、１０００／（２ｐ）で与えられることが好ましい。
また、モアレの評価値は、モアレの周波数及び強度に、視覚応答特性として観察距離に応じた視覚伝達関数を畳み込み積分で重み付けを行うことによって求められることが好ましい。
また、視覚伝達関数は、下記式（１）で与えられる視感度関数Ｓ（ｕ）であることが好ましい。
【００１２】
【数１】
2018087984.tif 000003
…（１）
ここで、ｕは、空間周波数（ｃｙｃｌｅ／ｄｅｇ）であり、Ｌは、輝度（ｃｄ／ｍｍ２）であり、Ｘ０は、観察距離における表示ユニットの表示面の視野角（ｄｅｇ）であり、Ｘ０２は、観察距離において表示面が作る立体角（ｓｒ）である。
【００１３】
また、モアレの評価指標は、１つのモアレの周波数に対して、観察距離に応じて重み付けされた複数のモアレの評価値の中の最も悪い評価値を用いて算出されることが好ましく、また、１つのモアレの周波数に対して選択された最も悪い評価値を全てのモアレの周波数について合算した合算値であることが好ましい。
また、モアレの周波数は、配線パターンのピーク周波数と画素配列パターンのピーク周波数との差分で与えられ、モアレの強度は、配線パターンのピーク強度と画素配列パターンのピーク強度との積で与えられることが好ましい。
【００１４】
また、視覚応答特性を作用させるために選択されるモアレは、モアレの強度が−４以上の強度を持ち、最高周波数以下の周波数を持つモアレであることが好ましい。
また、ピーク強度は、ピーク位置周辺の複数画素内の強度の合算値であることが好ましく、また、ピーク位置周辺の７×７画素内の上位５位までの強度の合算値であることが好ましい。
また、ピーク強度は、配線パターン及び画素配列パターンの透過率画像データで規格化されたものであることが好ましい。
また、画素配列パターンは、ブラックマトリックスパターンであることが好ましい。
また、画素配列パターンの２次元フーリエスペクトルの複数のスペクトルピークのピーク強度が対称である時、配線パターンは、対称なパターン形状を持つことが好ましい。
また、画素配列パターンの２次元フーリエスペクトルの複数のスペクトルピークのピーク強度が非対称である時、配線パターンは、非対称なパターン形状を持つことが好ましい。
【発明の効果】
【００１５】
以上説明したように、本発明によれば、モアレの発生を抑止でき、視認性を大幅に向上させることができる。
特に、本発明によれば、視認されないモアレ評価値算出に当たって、ディスプレイ等の表示装置の解像度が考慮されているので、解像度の異なる表示装置に対して、汎用的にモアレ視認性を改善することができる。また、本発明によれば、観察距離に依存した評価関数を設けているので、精度の高い評価指標でモアレ視認性を評価することができ、モアレの序列付けが可能であり、観察距離によらず、視認性を大幅に向上させることができる。
即ち、本発明においては、表示装置の画素配列パターン及び導電性フィルムの配線パターンの周波数解析により得られるモアレ周波数／強度を算出し、算出したモアレの強度・周波数を表示装置の解像度及び観察距離を考慮して視認性に優れるように数値限定しているので、表示装置の解像度及び観察距離によらず、モアレの発生による画質障害を無くし、優れた視認性を得ることができる。
特に、本発明によれば、導電性フイルムをタッチパネル用電極として用いる場合、表示装置の表示ユニットのブラックマトリクスに導電性フイルムを重畳して視認する際の大きな画質障害となるモアレを、表示装置の解像度及び観察距離によらず抑止でき、タッチパネル上の表示の視認性を大幅に向上させることができる。
【図面の簡単な説明】
【００１６】
【図１】本発明の第１の実施形態に係る導電性フイルムの一例を模式的に示す平面図である。
【図２】図１に示す導電性フイルムの模式的部分断面図である。
【図３】本発明の第２の実施形態に係る導電性フイルムの一例の模式的部分断面図である。
【図４】本発明に係る導電性フイルムが適用される表示ユニットの一部の画素配列パターンの一例を表す概略説明図である。
【図５】図３に示す導電性フイルムを組み込んだ表示装置の一実施例の概略断面図である。
【図６】本発明に係る導電性フイルムの配線評価方法の一例を示すフローチャートである。
【図７Ａ】本発明に係る導電性フイルムが適用される表示ユニットの画素配列パターンの一例を表す概略説明図である。
【図７Ｂ】図７Ａに示す画素配列パターンに重畳される導電性フイルムの配線パターンの一例を表す概略説明図である。
【図７Ｃ】図７Ａに示す画素配列パターンの部分拡大図である。
【図７Ｄ】図７Ｃにおいて、Ｇチャネルの副画素のみ利用するときの画素配列パターンの模式的説明図である。
【図８Ａ】本発明に係る導電性フイルムが適用される表示ユニットの画素配列パターンの別の一例を表す模式的部分拡大説明図である。
【図８Ｂ】図８Ａにおいて、Ｇチャネルの副画素のみ利用するときの画素配列パターンの模式的説明図である。
【図９Ａ】図７Ａに示す画素配列パターンの透過率画像データの２次元フーリエスペクトルの強度特性を示す図である。
【図９Ｂ】図７Ｂに示す配線パターンの透過率画像データの２次元フーリエスペクトルの強度特性を示す図である。
【図１０】図７Ａに示す表示ユニットの画素配列パターンの周波数ピーク位置を示すグラフである。
【図１１Ａ】入力パターン画像の周波数ピーク位置を説明するグラフである。
【図１１Ｂ】周波数ピーク位置のピーク強度の算出を説明するグラフである。
【図１２Ａ】２次元フーリエスペクトルの強度特性の一例を曲線で表すグラフである。
【図１２Ｂ】２次元フーリエスペクトルの強度特性の一例を棒で表す棒グラフである。
【図１３】図７Ａに示す画素配列パターンと図７Ｂに示す配線パターンとの干渉によって発生するモアレ周波数及びモアレの強度を模式的に表わす概略説明図である。
【図１４】本発明の別の実施形態に係る導電性フイルムの一例を模式的に示す部分断面図である。
【図１５】本発明の別の実施形態に係る導電性フイルムの一例を模式的に示す部分拡大平面図であり、そのメッシュパターンの複数の断線部の一例を示す模式図である。
【図１６Ａ】実施例において用いられる配線パターンの一例を示す概略説明図である。
【図１６Ｂ】実施例において用いられる配線パターンの他の一例を示す概略説明図である。
【図１６Ｃ】実施例において用いられる配線パターンの他の一例を示す概略説明図である。
【図１６Ｄ】実施例において用いられる配線パターンの他の一例を示す概略説明図である。
【図１６Ｅ】図１６Ａに示す配線パターンを説明するための部分拡大図である。
【図１６Ｆ】図１６Ｂに示す配線パターンを説明するための部分拡大図である。
【図１６Ｇ】図１６Ｄに示す配線パターンを説明するための部分拡大図である。
【図１７】本発明の導電性フイルムの配線パターンの他の一例を模式的に示す平面図である。
【図１８Ａ】本発明に係る導電性フイルムが適用される表示ユニットの画素配列パターンの一例を表す概略説明図である。
【図１８Ｂ】図１８Ａの画素配列パターン画像の周波数ピーク位置を説明するグラフである。
【図１８Ｃ】図１８Ｂの拡大グラフであり、図１８Ａの画素配列パターンに重畳される導電性フイルムのメッシュパターンの一例の周波数ピークを重ねて示すグラフである。
【図１９Ａ】本発明に係る導電性フイルムが適用される表示ユニットの画素配列パターンの他の一例を表す概略説明図である。
【図１９Ｂ】図１９Ａの画素配列パターン画像の周波数ピーク位置を説明するグラフである。
【図１９Ｃ】図１９Ｂの拡大グラフであり、図１９Ａの画素配列パターンに重畳される導電性フイルムのメッシュパターンの一例の周波数ピークを重ねて示すグラフである。
【発明を実施するための形態】
【００１７】
以下に、本発明に係る導電性フイルム及び導電性フイルムの評価方法を添付の図面に示す好適な実施形態を参照して詳細に説明する。
以下では、本発明に係る導電性フイルムについて、タッチパネル用の導電性フイルムを代表例として説明するが、本発明は、これに限定されず、液晶ディスプレイ（ＬＣＤ：Liquid Crystal Display）やプラズマディスプレイ（ＰＤＰ：Plasma Display Panel）や有機ＥＬディスプレイ（ＯＥＬＤ：Ｏrganic ＥlectroＬuminescence Ｄisplay）や無機ＥＬディスプレイ等の表示装置の表示ユニット上に設置される導電性フイルムであれば、どのようなものでも良く、例えば、電磁波シールド用の導電性フイルム等であっても良いのはもちろんである。
【００１８】
図１及び図２は、それぞれ本発明の第１の実施形態に係る導電性フイルムの一例を模式的に示す平面図及びその模式的部分断面図である。
これらの図に示すように、本実施形態の導電性フイルム１０は、表示装置の表示ユニット上に設置されるもので、表示ユニットのブラックマトリックス（ＢＭ：Black Matrix）に対してモアレの発生の抑止の点で優れた配線パターン、特に、ＢＭパターンに重畳した際にＢＭパターンに対してモアレの視認性の点で最適化された配線パターンを持つ導電性フィルムであり、透明基体１２と、透明基体１２の一方の面（図２中上側の面）に形成され、複数の金属製の細線（以下、金属細線という）１４からなる導電部１６と、導電部１６の略全面に、金属細線１４を被覆するように、接着層１８を介して接着された保護層２０とを有する。
【００１９】
透明基体１２は、絶縁性を有し、かつ透光性が高い材料からなり、例えば、樹脂、ガラス、シリコン等の材料を挙げることができる。樹脂としては、例えば、ＰＥＴ（Polyethylene Terephthalate）、ＰＭＭＡ（Polymethyl methacrylate）、ＰＰ（polypropylene）、ＰＳ（polystyrene）等が挙げられる。
導電部１６は、金属細線１４と、隣接する金属細線１４間の開口部２２とによるメッシュ形状の配線パターン２４とを有する導電層２８からなる。金属細線１４は、導電性の高い金属製の細線であれば特に制限的ではなく、例えば、金（Ａｕ）、銀（Ａｇ）又は銅（Ｃｕ）の線材等からなるものを挙げることができる。金属細線１４の線幅は、視認性の点からは細い方が好ましいが、例えば、３０μｍ以下であれば良い。なお、タッチパネル用途では、金属細線１４の線幅は０．１μｍ以上１５μｍ以下が好ましく、１μｍ以上９μｍ以下がより好ましく、２μｍ以上７μｍ以下がさらに好ましい。
【００２０】
導電部１６は、詳細には、複数の金属細線１４をメッシュ状に配列した配線パターン２４を有する。図示例においては、開口部２２のメッシュ形状は菱形であるが、本発明はこれに限定されず、後述する所定のＢＭパターンに対してモアレ視認性が最適化された配線パターン２４を構成できれば、少なくとも３辺を有する多角形状であれば如何なるものでも良く、また、同一メッシュ形状であっても、異なるメッシュ形状であっても良く、例えば、正三角形、二等辺三角形等の三角形や、正方形（正方格子：後述する図１６（Ｄ）参照）、長方形、平行四辺形（後述する図１７参照）等の四角形（矩形）や、五角形や、六角形（正六角形：後述する図１６（Ｂ）及び図１６（Ｃ）参照）等の、同一又は異なる多角形等を挙げることができる。即ち、所定のＢＭパターンに対してモアレ視認性が最適化された配線パターンであれば、規則性のある開口部２２の配列によって構成される配線パターンでも、異なる形状の開口部２２の配列によってランダム化された配線パターンでも良い。
【００２１】
また、配線パターン２４の開口部２２のメッシュ形状は、対称であっても、非対称であってもよい。なお、メッシュ形状の非対称性は、ｘｙ２次元座標上において、ｘ軸及びｙ軸の一方を定義した際に、ｘ軸又はｙ軸の少なくとも一方に対して非対称であることによって定義できる。
例えば、非対称パターンの平行四辺形のメッシュ形状では、図１７に示すように、平行四辺形の各辺のピッチをｐ１、ｐ２、ｙ軸に対する平行四辺形の各辺の傾斜角度をθ１、θ２とする時、ｐ１≠ｐ２であるか、θ１≠θ２であるかの少なくとも一方を満たせばよいが、両者を満足するのがより好ましい。図示例の非対称パターンの平行四辺形のメッシュ形状では、ｐ１≠ｐ２であり、θ１＝θ２である。
非対称パターンの他の多角形のメッシュ形状の場合にも、ピッチ及び傾斜角度の少なくとも一方が異なる場合によって定義すれば良い。
また、配線パターン２４には、後述する図１４に示すように、断線(ブレーク)が入っていてもよい。このようなブレークのあるメッシュ状配線パターンの形状としては、本出願人の出願に係る特願２０１２−２７６１７５号明細書に記載の導電性フィルムのメッシュ状配線パターンの形状を適用することができる。
【００２２】
接着層１８の材料として、ウェットラミネート接着剤、ドライラミネート接着剤、又はホットメルト接着剤等が挙げられる。
保護層２０は、透明基体１２と同様に、樹脂、ガラス、シリコンを含む透光性が高い材料からなる。保護層２０の屈折率ｎ１は、透明基体１２の屈折率ｎ０に等しいか、これに近い値であるのが好ましい。この場合、保護層２０に対する透明基体１２の相対屈折率ｎｒ１は１に近い値となる。
【００２３】
ここで、本明細書における屈折率は、波長５８９．３ｎｍ（ナトリウムのＤ線）の光における屈折率を意味し、例えば樹脂では、国際標準規格であるＩＳＯ  １４７８２：１９９９（ＪＩＳ  Ｋ  ７１０５に対応）で定義される。また、保護層２０に対する透明基体１２の相対屈折率ｎｒ１は、ｎｒ１＝（ｎ１／ｎ０）で定義される。ここで、相対屈折率ｎｒ１は、０．８６以上１．１５以下の範囲にあればよく、より好ましくは、０．９１以上１．０８以下である。
相対屈折率ｎｒ１の範囲をこの範囲に限定して、透明基体１２と保護層２０との部材間の光の透過率を制御することにより、モアレの視認性をより向上させ、改善することができる。
【００２４】
上述した第１の実施形態の導電性フイルム１０は、透明基体１２の一方の面のみに導電部１６を有するものであるが、本発明は、これに限定されず、透明基体１２の両面に導電部を有するものであっても良い。
図３は、本発明の第２の実施形態に係る導電性フイルムの一例を示す模式的部分断面図である。なお、図３に示す本第２の実施形態の導電性フイルムの平面図は、図１に示す本第１の実施形態の導電性フイルムの平面図と同様であるのでここでは省略する。
【００２５】
同図に示すように、本第２の実施形態の導電性フイルム１１は、透明基体１２の一方（図３の上側）の面に形成された第１導電部１６ａ及びダミー電極部２６と、透明基体１２の他方（図３の下側）の面に形成された第２導電部１６ｂと、第１導電部１６ａ及びダミー電極部２６の略全面に第１接着層１８ａを介して接着された第１保護層２０ａと、第２導電部１６ｂの略全面に第２接着層１８ｂを介して接着された第２保護層２０ｂとを有する。
【００２６】
導電性フイルム１１においては、第１導電部１６ａ及びダミー電極部２６は、それぞれ複数の金属細線１４からなり、共に、透明基体１２の一方（図３の上側）の面に導電層２８ａとして形成され、第２導電部１６ｂは、複数の金属細線１４からなり、透明基体１２の他方（図３の下側）の面に導電層２８ｂとして形成されている。ここで、ダミー電極部２６は、第１導電部１６ａと同様に、透明基体１２の一方（図３の上側）の面に形成されるが、図示例のように、他方（図３の下側）の面に形成された第２導電部１６ｂの複数の金属細線１４に対応する位置に同様に配列された複数の金属細線１４からなる。
【００２７】
ダミー電極部２６は、第１導電部１６ａと所定間隔だけ離間して配置されており、第１導電部１６ａと電気的に絶縁された状態下にある。
本実施形態の導電性フィルム１１においては、透明基体１２の一方（図３の上側）の面にも、透明基体１２の他方（図３の下側）の面に形成されている第２導電部１６ｂの複数の金属細線１４に対応する複数の金属細線１４からなるダミー電極部２６を形成しているので、透明基体１２の一方（図３の上側）の面での金属細線による散乱を制御することができ、電極視認性を改善することができる。
【００２８】
ここで、導電層２８ａの第１導電部１６ａ及びダミー電極部２６は、金属細線１４と開口部２２によるメッシュ状の配線パターン２４とを有する。また、導電層２８ｂの第２導電部１６ｂは、第１導電部１６ａと同様に、金属細線１４と開口部２２によるメッシュ状の配線パターン２４を有する。上述したように、透明基体１２は絶縁性材料からなり、第２導電部１６ｂは、第１導電部１６ａ及びダミー電極部２６と電気的に絶縁された状態下にある。
なお、第１、第２導電部１６ａ、１６ｂ及びダミー電極部２６は、それぞれ図２に示す導電性フィルム１０の導電部１６と同様の材料で同様に形成することができる。
【００２９】
第１保護層２０ａは、第１導電部１６ａ及びダミー電極部２６のそれぞれの金属細線１４を被覆するように、第１接着層１８ａによって第１導電部１６ａ及びダミー電極部２６からなる導電層２８ａの略全面に接着されている。
また、第２保護層２０ｂは、第２導電部１６ｂの金属細線１４を被覆するように、第２接着層１８ｂによって第２導電部１６ｂからなる導電層２８ｂの略全面に接着されている。
ここで、第１接着層１８ａ及び第２接着層１８ｂは、それぞれ図２に示す導電性フィルム１０の接着層１８と同様の材料で同様に形成することができるが、第１接着層１８ａの材質と第２接着層１８ｂの材質とは、同一であってもよいし、異なってもよい。
また、第１保護層２０ａ及び第２保護層２０ｂは、それぞれ図２に示す導電性フィルム１０の保護層２０と同様の材料で同様に形成することができるが、第１保護層２０ａの材質と第２保護層２０ｂの材質とは、同一であってもよいし、異なってもよい。
【００３０】
第１保護層２０ａの屈折率ｎ２及び第２保護層２０ｂの屈折率ｎ３は、いずれも、上記第１の実施形態の導電フィルム１０の保護層２０と同様に、透明基体１２の屈折率ｎ０に等しいか、これに近い値である。この場合、第１保護層２０ａに対する透明基体１２の相対屈折率ｎｒ２及び第２保護層２０ｂに対する透明基体１２の相対屈折率ｎｒ３は、共に１に近い値である。ここで、屈折率及び相対屈折率の定義は、上記第１の実施形態における定義通りである。したがって、第１保護層２０ａに対する透明基体１２の相対屈折率ｎｒ２は、ｎｒ２＝（ｎ２／ｎ０）で定義され、第１保護層２０ｂに対する透明基体１２の相対屈折率ｎｒ３は、ｎｒ２＝（ｎ３／ｎ０）で定義される。
ここで、相対屈折率ｎｒ２及び相対屈折率ｎｒ３は、上述した相対屈折率ｎｒ１と同様に、０．８６以上１．１５以下の範囲にあればよく、より好ましくは、０．９１以上１．０８以下である。
なお、相対屈折率ｎｒ２、及び相対屈折率ｎｒ３の範囲をこの範囲に限定することにより、相対屈折率ｎｒ１の範囲の限定と同様に、モアレの視認性をより向上させることができる。
【００３１】
上述した本発明の第１の実施形態の導電性フイルム１０及び第２の実施形態の導電性フイルム１１は、例えば、図４に一部を模式的に示す表示ユニット３０（表示部）のタッチパネルに適用されるが、少なくとも１視点において、表示ユニット３０の画素配列パターン、即ちブラックマトリックス（以下、ＢＭともいう）パターンに対してモアレ視認性の点で最適化された配線パターンを持つものである。なお、本発明では、ＢＭ（画素配列）パターンに対してモアレ視認性の点で最適化された配線パターンとは、少なくとも１視点において、所定のＢＭパターンに対してモアレが人間の視覚に知覚されない１又は２以上の１群の配線パターンを言う。なお、本発明では、最適化された２以上の１群の配線パターンにおいても、最も知覚されない配線パターンから知覚されにくい配線パターンまで序列を付けることができ、最もモアレが知覚されない１つの配線パターンを決定することもできる。
なお、所定のＢＭパターンに対する配線パターンのモアレ視認性の最適化については、後述する。
本発明の導電性フィルムは、基本的に以上のように構成される。
【００３２】
図４は、本発明の導電性フィルムが適用される表示ユニットの一部の画素配列パターンの一例を模式的に表す概略説明図である。
図４にその一部を示すように、表示ユニット３０には、複数の画素３２がマトリクス状に配列されて所定の画素配列パターンが構成されている。１つの画素３２は、３つの副画素（赤色副画素３２ｒ、緑色副画素３２ｇ及び青色副画素３２ｂ）が水平方向に配列されて構成されている。１つの副画素は、垂直方向に縦長とされた長方形状とされており、３つの副画素３２ｒ、３２ｇ及び３２ｂは、同一、もしくは同様の長方形状とされている。画素３２の水平方向の配列ピッチ（水平画素ピッチＰｈ）と画素３２の垂直方向の配列ピッチ（垂直画素ピッチＰｖ）は略同じとされている。つまり、１つの画素３２とこの１つの画素３２を囲むブラックマトリクス（ＢＭ）３４（パターン材）にて構成される形状（網掛けにて示す領域３６を参照）は正方形となっている。また、１つの画素３２のアスペクト比は１ではなく、水平方向（横）の長さ＞垂直方向（縦）の長さとなっている。
なお、図示例では、１つの副画素（３２ｒ、３２ｇ、３２ｂ）の形状は、長方形状であるが、本発明はこれに限定されず、例えば、後述する図７Ｃに示す端部に切り欠きのある長方形状であっても良いし、後述する図８Ａ示すように、所定角度で屈曲した、又は折れ曲がった縦長の帯状であっても良く、若しくは湾曲した縦長の帯状であっても良く、また、端部に切り欠きがあっても良いし、その切り欠きの形状もどのような形状であっても良く、従来公知の画素形状であればどのような形状でも良い。
また、画素ピッチ（水平及び垂直画素ピッチＰｈ、Ｐｖ）も、表示ユニット３０の解像度に応じたピッチであれば、如何なるピッチでも良く、例えば、８４μｍ〜２６４μｍの範囲内でピッチを上げることができる。
【００３３】
図４から明らかなように、複数の画素３２の各々の副画素３２ｒ、３２ｇ及び３２ｂによって構成される画素配列パターンは、これらの副画素３２ｒ、３２ｇ及び３２ｂをそれぞれ囲むＢＭ３４のＢＭパターン３８によって規定され、表示ユニット３０と導電性フイルム１０又は１１とを重畳した時に発生するモアレは、表示ユニット３０のＢＭ３４のＢＭパターン３８と導電性フイルム１０又は１１の配線パターン２４との干渉によって発生するので、厳密には、ＢＭパターン３８は、画素配列パターンの反転パターンであるが、ここでは、同様のパターンを表すものとして扱う。
【００３４】
上記したＢＭ３４によって構成されるＢＭパターン３８を有する表示ユニット３０の表示パネル上に、例えば、導電性フイルム１０又は１１を配置する場合、導電性フイルム１１の配線パターン２４は、ＢＭ（画素配列）パターン３８に対してモアレ視認性の点で最適化されているので、画素３２の配列周期と、導電性フイルム１０又は１１の金属細線１４の配線配列との間における空間周波数の干渉が殆どなく、モアレの発生が抑制されることになる。
なお、図４に示す表示ユニット３０は、液晶パネル、プラズマパネル、有機ＥＬパネル、無機ＥＬパネル等の表示パネルで構成されてもよい。
【００３５】
次に、本発明の導電性フイルムを組み込んだ表示装置について、図５を参照しながら説明する。図５では、表示装置４０として、本発明の第２の実施の形態に係る導電性フイルム１１を組み込んだ投影型静電容量方式のタッチパネルを代表例に挙げて説明するが、本発明はこれに限定されないことは言うまでもない。
【００３６】
図５に示すように、表示装置４０は、カラー画像及び／又はモノクロ画像を表示可能な表示ユニット３０（図３参照）と、入力面４２（矢印Ｚ１方向側）からの接触位置を検出するタッチパネル４４と、表示ユニット３０及びタッチパネル４４を収容する筐体４６とを有する。筐体４６の一面（矢印Ｚ１方向側）に設けられた大きな開口部を介して、ユーザは、タッチパネル４４にアクセス可能である。
【００３７】
タッチパネル４４は、上記した導電性フイルム１１（図１及び図３参照）の他、導電性フイルム１１の一面（矢印Ｚ１方向側）に積層されたカバー部材４８と、ケーブル５０を介して導電性フイルム１１に電気的に接続されたフレキシブル基板５２と、フレキシブル基板５２上に配置された検出制御部５４とを備える。
【００３８】
表示ユニット３０の一面（矢印Ｚ１方向側）には、接着層５６を介して、導電性フイルム１１が接着されている。導電性フイルム１１は、他方の主面側（第２導電部１６ｂ側）を表示ユニット３０に対向させて、表示画面上に配置されている。
【００３９】
カバー部材４８は、導電性フイルム１１の一面を被覆することで、入力面４２としての機能を発揮する。また、接触体５８（例えば、指やスタイラスペン）による直接的な接触を防止することで、擦り傷の発生や、塵埃の付着等を抑止可能であり、導電性フイルム１１の導電性を安定させることができる。
【００４０】
カバー部材４８の材質は、例えば、ガラス、樹脂フイルムであってもよい。カバー部材４８の一面（矢印Ｚ２方向側）を酸化珪素等でコートした状態で、導電性フイルム１１の一面（矢印Ｚ１方向側）に密着させてもよい。また、擦れ等による損傷を防止するため、導電性フイルム１１及びカバー部材４８を貼り合わせて構成してもよい。
【００４１】
フレキシブル基板５２は、可撓性を備える電子基板である。本図示例では、筐体４６の側面内壁に固定されているが、配設位置は種々変更してもよい。検出制御部５４は、導体である接触体５８を入力面４２に接触する（又は近づける）際、接触体５８と導電性フイルム１１との間での静電容量の変化を捉えて、その接触位置（又は近接位置）を検出する電子回路を構成する。
本発明の導電性フィルムが適用される表示装置は、基本的に以上のように構成される。
【００４２】
次に、本発明において、表示装置の所定のＢＭパターンに対する導電性フイルムの配線パターンのモアレ視認性の及び最適化の手順について説明する。即ち、本発明の導電性フイルムにおいて、少なくとも１視点において、表示装置の所定のＢＭパターンに対してモアレが人間の視覚に知覚されないように最適化された配線パターンを評価して決定する手順について説明する。
図６は、本発明の導電性フイルムの評価方法の一例を示すフローチャートである。
【００４３】
本発明の導電性フイルムの配線パターンの評価方法は、表示装置の表示ユニットのＢＭ（画素配列）パターンと導電性フイルムの配線パターンとの高速フーリエ変換（ＦＦＴ）を用いた周波数解析により得られるモアレの周波数・強度から、表示ユニットの表示解像度に応じて規定されるモアレの最高周波数以下の周波数を持つモアレ（周波数・強度）を選び出し、選び出されたそれぞれのモアレの周波数におけるモアレの強度に人間の視覚応答特性を観察距離に応じて作用させてそれぞれモアレの評価値を得、得られた複数のモアレの評価値からモアレの評価指標を算出し、算出されたモアレの評価指標が予め設定された条件を満たす配線パターンを、モアレが視認されないように最適化された配線パターンとして評価し、決定するものである。この本発明法では、モアレの周波数／強度については一般的にＦＦＴが利用されるが、利用方法によっては、対象物の周波数／強度が大きく変化するため、以下の手順を規定している。
ここでは、１つの視点として、表示装置の表示ユニットの表示画面を正面から見る場合を考慮するが、本発明はこれに限定されず、少なくとも１つの視点から見た場合のモアレの視認性を向上させることができるものであれば、いずれの視点からのものであっても良い。
【００４４】
本発明法においては、まず、手順１として、ＢＭパターン及び配線パターンの各画像（透過率画像データ）の作成を行う。即ち、図６に示すように、ステップＳ１０において、図５に示す表示装置４０の表示ユニット３０のＢＭパターン３８（ＢＭ３４）（図４参照）の透過率画像データと、導電性フィルム６０の配線パターン６２（金属細線１４）（図７（Ｂ）参照）の透過率画像データとを作成して、取得する。なお、予め、ＢＭパターン３８の透過率画像データと、配線パターン６２の透過率画像データとが準備されている、若しくは蓄えられている場合には、準備された、若しくは蓄えられた中から取得するようにしても良い。
【００４５】
表示ユニット３０のＢＭパターン３８は、例えば、図７Ａ及びその部分拡大図である図７Ｃに示すように、１画素３２当たり、ＲＧＢの３色の副画素３２ｒ、３２ｇ及び３２ｂからなるパターンとすることができるが、単色を利用し、例えば、図７Ｄに示すように、Ｇチャネルの副画素３２ｇのみ利用するときは、Ｒ及びＢチャネルの透過率画像データは０とするのが好ましい。本発明において、ＢＭ３４の画像データ、即ちＢＭパターン３８の透過率画像データとしては、図７Ｃに示されるように、ＢＭ３４の略長方形（切欠あり）の開口（副画素３２ｒ、３２ｇ及び３２ｂ）を持つものに限定されず、使用可能なＢＭパターンであればＢＭ３４の長方形の開口を持たないものでも良く、任意の形状のＢＭ開口を持つＢＭパターンを指定して用いても良い。例えば、ＢＭパターン３８は、上述したように、図４及び後述する図１８Ａに示すように、単純な長方形等の矩形状のものや、図７Ａに示す切欠のある長方形の開口を持つものに限定されず、後述する図１９Ａに示すように、長方形の開口を所定角度傾斜させたものであっても良いし、図８Ａに示すように、１画素３２当たり、所定角度で屈曲した帯状の開口を持つ、ＲＧＢの３色の副画素３２ｒ、３２ｇ及び３２ｂからなるパターンであっても良いし、湾曲した帯状の開口を持つものや鉤状の開口を持つものであっても良い。
なお、図８Ｂは、図７Ｄと同様に、Ｇチャネルの副画素３２ｇの単色のみ利用する場合のＢＭパターンを示す。後述する図１８Ａ及び図１９Ａも、１チャネル、例えばＲチャネルの副画素３２ｒの単色のみ利用する場合のＢＭパターンを示す。
【００４６】
一方、導電性フィルム６０の配線パターン６２は、例えば、図７Ｂに示すように、配線となる金属細線１４が水平線に対して所定角度、例えば、４５°[deg]未満の角度傾いた菱形パターンとすることができるが、上述したように、配線パターンの開口の形状は、どのようなものであっても良く、例えば、後述する図１６Ｂ〜図１６Ｄに示すような正六角形や正方格子であっても良く、正方格子も、４５°[deg]傾いた正方格子であっても良いのはもちろんである。
なお、ここでは、ＢＭパターン３８の透過率画像データを作成する際に、その解像度を例えば、高解像度である１２７００ｄｐｉとし、透過率画像データのサイズを規定し、例えば、画素サイズを８１９３（画素）×８１９３（画素）に一番近いＢＭパターン３８のサイズの整数倍とする。
また、配線パターン６２の透過率画像データを作成する際に、その解像度を、例えば、ＢＭパターン３８の解像度と同じ１２７００ｄｐｉとし、透過率画像データのサイズを規定し、例えば、ＢＭパターン３８と同様に、画素サイズを８１９３（画素）×８１９３（画素）に一番近い配線パターン６２のサイズの整数倍とする。
【００４７】
次に、手順２として、手順1で作成した透過率画像データに対して、２次元高速フーリエ変換（２ＤＦＦＴ（基底２））を行う。即ち、図６に示すように、ステップＳ１２において、ステップＳ１０で作成したＢＭパターン３８及び配線パターン６２の各透過率画像データに対して２ＤＦＦＴ（基底２）処理を行い、ＢＭパターン３８及び配線パターン６２の各透過率画像データの２次元フーリエスペクトルの複数のスペクトルピークのピーク周波数及びピーク強度とを算出する。ここでは、ピーク強度は、絶対値として取り扱う。
ここで、図９Ａ及びＢは、それぞれＢＭパターン３８及び配線パターン６２の各透過率画像データの２次元フーリエスペクトルの強度特性を示す図である。
なお、図９Ａ及びＢにおいて、白い部分は強度が高く、スペクトルピークを示しているので、図９Ａ及びＢに示す結果から、ＢＭパターン３８及び配線パターン６２のそれぞれについて、各スペクトルピークのピーク周波数及びピーク強度とを算出する。即ち、図９Ａ及びＢにそれぞれ示すＢＭパターン３８及び配線パターン６２の２次元フーリエスペクトルの強度特性におけるスペクトルピークの周波数座標上の位置、即ちピーク位置がピーク周波数を表し、そのピーク位置における２次元フーリエスペクトルの強度がピーク強度となる。
【００４８】
ここでは、ＢＭパターン３８及び配線パターン６２の各スペクトルピークのピークの周波数及び強度は、以下のようにして算出して取得する。
まず、ピーク周波数の取得において、ピークの算出には、ＢＭパターン３８及び配線パターン６２の基本周波数から周波数ピークを求める。これは、２ＤＦＦＴ処理を行う透過率画像データは離散値であるため、ピーク周波数が、画像サイズの逆数に依存してしまうからである。周波数ピーク位置は、図１０に示すように、独立した２次元基本周波数ベクトル成分ａバー及びｂバーを元に組み合わせて表すことができる。したがって、当然ながら、得られるピーク位置は格子状となる。
即ち、図１１Ａに示すように、ＢＭパターン３８及び配線パターン６２のスペクトルピークの周波数座標ｆｘｆｙ上の位置、即ちピーク位置は、パターンピッチの逆数（１／ｐ（ｐｉｔｃｈ）を格子間隔とする周波数座標ｆｘｆｙ上の格子状点の位置として与えられる。
なお、図１０は、ＢＭパターン３８の場合の周波数ピーク位置を示すグラフであるが、配線パターン６２も、同様にして求めることができる。
【００４９】
一方、ピーク強度の取得においては、上記のピーク周波数の取得においてピーク位置が求まるため、ピーク位置が持つ２次元フーリエスペクトルの強度（絶対値）を取得する。その際、デジタルデータをＦＦＴ処理しているので、ピーク位置が複数の画素（ピクセル）にまたがるケースがある。例えば、２次元フーリエスペクトルの強度（Ｓｐ）特性が、図１２Ａに示す曲線（アナログ値）で表される時、デジタル処理された同じ２次元フーリエスペクトルの強度特性は、図１２Ｂに示す棒グラフ（デジタル値）で表されるが、図１２Ａに示される２次元フーリエスペクトルの強度のピークＰは、対応する図１２Ｂでは、２つの画素にまたがることになる。
したがって、ピーク位置に存在する強度を取得する際には、図１１Ｂに示すように、ピーク位置周辺の複数の画素を含む領域内の複数の画素のスペクトル強度が上位から複数点、例えば、７×７画素の領域内の画素のスペクトル強度が上位から５点の強度（絶対値）の合計値をピーク強度とするのが好ましい。
ここで、得られたピーク強度は、画像面積（画像サイズ）で規格化するのが好ましい。上述した例では、８１９２×８１９２で規格化しておくのが好ましい（パーセバルの定理）。
【００５０】
次に、手順３として、モアレの周波数及び強度の算出を行う。即ち、図６に示すように、ステップＳ１４において、ステップＳ１２で算出したＢＭパターン３８及び配線パターン６２の両２次元フーリエスペクトルのピーク周波数及びピーク強度からそれぞれモアレの周波数及び強度を算出する。なお、ここでも、ピーク強度及びモアレの強度は、絶対値として取り扱う。
実空間においては、モアレは、本来、配線パターン６２とＢＭパターン３８との透過率画像データの掛け算によって起こるため、周波数空間においては、両者の畳み込み積分（コンボリューション）を行うことになる。しかしながら、ステップＳ１２において、ＢＭパターン３８及び配線パターン６２の両２次元フーリエスペクトルのピーク周波数及びピーク強度が算出されているので、両者のそれぞれの周波数ピーク同士の差分（差の絶対値）を求め、求められた差分をモアレの周波数とし、両者の組み合わせた２組のベクトル強度の積を求め、求められた積をモアレの強度（絶対値）とすることができる。
【００５１】
ここで、図９Ａ及びＢにそれぞれ示すＢＭパターン３８及び配線パターン６２の両者の２次元フーリエスペクトルの強度特性のそれぞれの周波数ピーク同士の差分は、両者の２次元フーリエスペクトルの強度特性を重ね合わせて得られる強度特性において、両者のそれぞれの周波数ピークの周波数座標上のピーク位置間の相対距離に相当する。
なお、ＢＭパターン３８及び配線パターン６２の両２次元フーリエスペクトルのスペクトルピークは、それぞれ複数存在するので、その相対距離の値である周波数ピーク同士の差分、即ちモアレの周波数も複数求められることになる。したがって、両２次元フーリエスペクトルのスペクトルピークが多数存在すると、求めるモアレの周波数も多数となり、求めるモアレの強度も多数となる。
【００５２】
しかしながら、求められたモアレの周波数におけるモアレの強度が弱い場合は、モアレが視認されないため、モアレの強度が弱いと見做せる所定値またはそれより大きいモアレ、例えば、強度が−４以上のモアレのみを扱うのが好ましい。
また、ここで、表示装置においては、ディスプレイ解像度が決まっているため、ディスプレイが表示できる最高の周波数はその解像度に対して決まる。このため、この最高の周波数より高い周波数を持つモアレは、このディスプレイで表示されないことになるので、本発明における評価の対象とする必要はない。従って、ディスプレイ解像度に合わせてモアレの最高周波数を規定することができる。ここで、本発明において考慮すべきモアレの最高周波数は、ディスプレイの画素配列パターンの画素ピッチをｐ（μｍ）とする時、１０００／（２ｐ）とすることができる。
以上から、本発明では、両２次元フーリエスペクトルのスペクトルピークから求められたモアレの周波数及び強度の中で、本発明における評価の対象とするモアレは、モアレの周波数が、ディスプレイ解像度に応じて規定されるモアレの最高周波数１０００／（２ｐ）以下の周波数を持つモアレであって、モアレの強度が−４以上のモアレである。
【００５３】
なお、両２次元フーリエスペクトルのスペクトルピークが多数存在すると、求めるモアレの周波数も多数となり、計算処理に時間がかかることになる。このような場合は、予め両２次元フーリエスペクトルのスペクトルピークにおいて、それぞれピーク強度が弱いものを除いて、ある程度強いもののみを選定しておいてもよい。その場合は、選定されたピーク同士の差分のみを求めることになるので、計算時間を短縮することができる。
【００５４】
こうして求められたモアレ周波数及びモアレの強度を、図１３に示す。図１３は、図７Ａに示す画素配列パターンと図７Ｂに示す配線パターンとの干渉によって発生するモアレの周波数及びモアレの強度を模式的に表わす概略説明図であり、図９Ａ及びＢに示す２次元フーリエスペクトルの強度特性の畳み込み積分の結果ということもできる。
図１３においては、モアレの周波数は、縦横軸の位置によって表され、モアレの強度は、グレー（無彩色）濃淡で表され、色が濃いほど小さく、色が薄い、即ち白いほど大きくなることを示している。
【００５５】
次に、手順４として、モアレの評価指標を求め、評価指標に基づいて配線パターンの評価を行う。
具体的には、まず、図６に示すように、ステップＳ１６において、ステップＳ１４で得られたモアレの周波数及び強度（絶対値）に、下記式（１）で示す人間の視覚応答特性を観察距離に応じて作用させて、即ち畳み込み積分を行って重み付けを行い、観察距離に応じて重み付けされた複数のモアレの評価値（副評価値）を算出する。即ち、モアレの周波数・強度に、下記式（１）で示す人間の視覚応答特性の一例を表す視覚伝達関数（ＶＴＦ；Visual Transfer Function）を畳み込む。
【００５６】
【数２】
2018087984.tif 000004
…（１）
ここで、ｕは、空間周波数（ｃｙｃｌｅ／ｄｅｇ）であり、Ｌは、輝度（ｃｄ／ｍｍ２）であり、Ｘ０は、観察距離におけるディスプレイの表示面の視野角（ｄｅｇ）であり、Ｘ０２は、観察距離においてディスプレイの表示面が作る立体角（ｓｒ）である。
【００５７】
上記式（１）で示される視覚伝達関数は、論文"Formula for the contrast 
sensitivity of the human eye" Peter G. J. Barten,  Image 
Quality and System Performance, edited by Yoichi Miyake, 
D. Rene Rasmussen, Proc. of SPIE-IS&T Electronic Imaging, 
SPIE Vol. 5294 (c) 2004 SPIE and IS&T ・ 0277-786X/04/$15.00, 
P. 231-P.238の第２３４頁に記載された式（１１）で表される視感度関数（ＣＦＳ：contrast sensitivity function）Ｓ（ｕ）である。
この上記式（１）は、反射系において良く用いられる、また、本出願人の特願２０１２−０８２７１１号明細書に記載の技術で用いられている観察距離が固定されたドゥーリー・ショー関数と異なり、ディスプレイのような透過系においても適切に用いることができるもので、観察距離を考慮することができるものであり、ディスプレイの発光輝度による感度の違いを考慮できるものである。
【００５８】
即ち、本発明では、得られた１つのモアレの周波数について、複数の観察距離に対して下記式（１）で求められる視感度（コントラスト感度：contrast sensitivity）Ｓ（ｕ）で重み付けを行い、複数の観察距離に対して重み付けされた複数のモアレの評価値を求める。
具体的には、例えば、モアレの周波数がｆ、強度がＩの場合、それぞれの観察距離ｄ、例えば、通常、タッチパネルとして用いる際に可能性のある１５０ｍｍ，２００ｍｍ，２５０ｍｍ，３００ｍｍ，４００ｍｍ，５００ｍｍの６つの観察距離ｄ１〜ｄ６で畳み込んで、それぞれの観察距離ｄ１〜ｄ６に依存した係数Ｓで重みをつけると、それぞれの観察距離に対応するＩ１〜Ｉ６までの６つの評価値を得ることができる。
なお、本発明では、上記式（１）において、空間周波数ｕ（ｃｙｃｌｅ／ｄｅｇ）の単位から（ｃｙｃｌｅ／ｍｍ）の単位への変換は、空間周波数ａ（ｃｙｃｌｅ／ｄｅｇ）が空間周波数ｂ（ｃｙｃｌｅ／ｍｍ）で表される時、観察距離をｄ（ｍｍ）とすると、式  ａ＝ｂ・（π・ｄ／１８０）で行うことができる。
また、輝度Ｌ（ｃｄ／ｍｍ２）は、ディスプレイの輝度を用いれば良いが、例えば、モアレが視認され易い通常のディスプレイの輝度レベルである５００ｃｄとすれば良い。
更に、観察距離ｄにおけるディスプレイの表示面の視野角Ｘ０（ｄｅｇ）は、評価面積がディスプレイの表示面となるように、上記観察距離ｄに依存して調整して求めれば良く、例えば、タッチパネルとして用いる際にモアレが視認され易い評価面積が４０ｍｍｘ４０ｍｍになるよう観察距離ｄに依存して調整して求めれば良い。こうして求めたＸ０から観察距離ｄにおいてディスプレイの表示面が作る立体角Ｘ０２（ｓｒ）を求めれば良い。
【００５９】
次に、図６に示すように、ステップＳ１８において、モアレの周波数がｆである時を代表する評価値（代表評価値）を算出するために、ステップＳ１６で得られたモアレの周波数がｆである時の複数（ｎ）の観察距離ｄ１〜ｄｎに依存した複数のモアレの評価値Ｉ１〜Ｉｎの中の最も悪い評価値を算出し、モアレの周波数がｆである時の代表評価値として設定する。
即ち、本発明の評価指標の算出方法では、まず、複数（ｎ）の観察距離ｄ１〜ｄｎで畳み込んだ際の最悪値を求めて、モアレの周波数ｆの代表評価値とする必要がある。
例えば、上述した例で、モアレの周波数がｆ、強度がＩの場合、それぞれの観察距離、上述した６つの観察距離ｄ１〜ｄ６で畳み込んで、それぞれの観察距離ｄ１〜ｄ６に依存した係数Ｓで重みをつけて得られた６つの評価値Ｉ１〜Ｉ６中の最悪値をモアレの周波数がｆである時の代表評価値としている。即ち、この周波数ｆのモアレの代表評価値は、ｍａｘ（Ｉ１，Ｉ２，Ｉ３，Ｉ４，Ｉ５，Ｉ６）で決定することができる。
こうして、ステップＳ１８では、ステップＳ１４で得られた全てのモアレの周波数ｆについて複数（ｎ）の観察距離ｄ１〜ｄｎに依存した複数のモアレの評価値Ｉ１〜Ｉｎの中の最も悪い評価値を算出し、そのモアレの周波数ｆのモアレの代表評価値として決定する。
なお、本発明において、観察距離ｄに依存した複数のモアレの評価値中の最も悪い評価値をモアレの代表評価値とするのは、観察距離ｄに依存せずに、モアレの視認性を評価し、最適化された破線パターンを求めるためである。
【００６０】
次に、図６に示すように、ステップＳ２０において、ステップＳ１８において、この配線パターン６２の全てのモアレの周波数ｆについてそれぞれ得られた全てのモアレの代表評価値（複数の観察距離ｄにおいて最も悪い評価値）を合計して、モアレの評価指標を算出する。そして、モアレの評価指標の値を常用対数で表す。即ち、モアレの評価指標の常用対数での値（常用対数値）を求める。
次に、図６に示すように、ステップＳ２２において、こうして求めた当該配線パターン６２のモアレの評価指標の常用対数値が、所定値以下であれば、当該配線パターン６２は、本発明の導電性フィルム６０（１０）の最適化された配線パターン６２（２４）であると評価し、最適化された配線パターン６２（２４）として設定し、本発明の導電性フィルム６０（１０）であるとして評価する。
なお、モアレの評価指標の値を、常用対数で、所定値以下に限定する理由は、所定値より大きいと、重畳された配線パターンとＢＭパターンのとの干渉によって生じたモアレが、わずかであっても視認され、視認されたモアレが目視するユーザにとって気になるものとなるからである。モアレの評価指標の値が、所定値以下では、あまり気にならないからである。
【００６１】
ここで、所定値は、導電性フィルム及び表示装置の性状に応じて、具体的には、配線パターン６２の金属細線１４の線幅や、開口部２２の形状やそのサイズ（ピッチ等）や角度や、２つの導電層の配線パターンの位相角（回転角、ズレ角）等、及びＢＭパターン３８の形状やそのサイズ（ピッチ等）や配置角度等に応じて適宜設定されるものであるが、例えば、常用対数で−１．７５（真数で１０−１．７５）以下であるのが好ましい。即ち、モアレの評価指標は、その値が、例えば、常用対数で−１．７５（真数で１０−１．７５以下）以下であるのが好ましく、より好ましくは、常用対数で−１．８９以下であり、さらに好ましくは、常用対数で−２．０５以下であり、最も好ましくは、常用対数で−２．２８以下であるのが良い。
【００６２】
なお、詳しくは後述するが、多数の配線パターン６２について、シミュレーションサンプル及び実サンプルでモアレの評価指標を求め、３名の研究員が配線パターン６２とＢＭパターンとの干渉によるモアレの目視による官能評価を行ったところ、モアレの評価指標が、常用対数で−１．７５以下であれば、重畳された配線パターンとＢＭパターンのとの干渉によって生じたモアレが視認されても、殆ど気にならないレベル以上であり、常用対数で−１．８９以下であれば、仮にモアレが視認されても略気にならないレベル以上であり、常用対数で−２．０５以下であれば、気にならないレベル以上であり、常用対数で−２．２８以下であれば、全く気にならないレベルだからである。
したがって、本発明では、モアレの評価指標を、好ましい範囲として、常用対数で−１．７５（真数で１０−１．７５）以下に特定し、より好ましい範囲として、常用対数で−１．８９以下に特定し、さらに好ましい範囲として、常用対数で−２．０５以下に特定し、最も好ましい範囲として、常用対数で−２．２８以下に特定する。
【００６３】
もちろん、配線パターン６２の金属細線１４の線幅や、開口部２２の形状やそのサイズ（ピッチや角度）や、２つの導電層の配線パターンの位相角（回転角、ズレ角）等に応じて、複数の最適化された配線パターン６２が得られるが、モアレの評価指標の常用対数値が小さいものが最良の配線パターン６２となり、複数の最適化された配線パターン６２には序列を付けることもできる。
こうして、本発明の導電性フイルムの配線評価方法は終了し、表示装置の表示ユニットのＢＭパターンに重畳してもモアレの発生が抑止され、異なる解像度の表示装置に対しても、また、観察距離によらず、モアレの視認性に優れた、最適化された配線パターンを持つ本発明の導電性フィルムを作製することができる。
【００６４】
なお、上述した図３に示す本発明の導電性フイルム１１の例では、導電層２８ｂにおいては、第２導電部１６ｂ以外は形成されていないが、本発明はこれに限定されず、図１４に示す導電性フィルム１１Ａように、導電層２８ａと同様に、第１導電部１６ａの複数の金属細線１４に対応する位置に、第２導電部１６ｂと電気的に絶縁されたダミー電極部２６を設けても良い。この場合には、導電層２８ａの配線パターン２４と導電層２８ｂの配線パターン２４とを、同一のものとすることができ、電極視認性を更に改善することができる。
また、図１４に示す例では、導電層２８ａと導電層２８ｂとは、同一の配線パターン２４を持ち、ずれることなく重なり合って１つの配線パターン２４を形成しているが、両導電層２８ａ及び導電層２８ｂのそれぞれの配線パターンは、本発明の評価基準を満たすものであれば、ずれた位置に重ね合わされていても良いし、それぞれの配線パターン自体が異なっていても良い。
【００６５】
また、上述した本発明の導電性フィルムは、連続した金属細線からなるメッシュ状配線パターンを持つものであるが、本発明はこれに限定されず、上述したように、本発明の評価基準を満たすものであれば、本出願人の出願に係る特願２０１２−２７６１７５号明細書に記載の導電性フィルムのメッシュ状配線パターンのパターン形状のように、金属細線に断線(ブレーク)が入ったメッシュ状配線パターンを持つものであっても良い。
図１５は、本発明の別の実施形態に係る導電性フイルムの別の一例を模式的に示す部分拡大平面図であり、そのメッシュパターンの複数の断線部の一例を示す模式図である。なお、図１５においては、理解を容易にするために、導電性フイルムのメッシュ状配線のメッシュ状配線パターンの内、電極配線パターンを太線で、ダミー電極パターンを細線で示しているが、これらは、同一の不透明な金属細線で形成されるものであり、太さに違いが無いのはもちろんである。
【００６６】
図１５に示す導電性フィルム１１Ｂは、図１に示す導電層２８、図３に示す導電層２８ａ、又は図１４に示す導電層２８ａ及び２８ｂのそれぞれに、複数の金属細線１４からなるメッシュ状配線２１を備え、メッシュ状配線２１は、詳細には、２方向の複数の金属細線１４を交差するように配線した配線パターン、即ち、複数の金属細線１４をメッシュ状に配列したメッシュ状配線パターン２４を有する。図示例においては、配線パターン２４によって形成される開口部２２のメッシュ形状は菱形であり、ダイヤモンドパターンと呼ぶことができる。
メッシュ状配線２１は、複数の金属細線１４により連続するようにメッシュ状に形成された電極配線パターン２４ａを備える電極部２３ａと、複数の金属細線により同様にメッシュ状に形成され、複数の断線部２５を持ち、非連続であるダミー電極（非電極）配線パターン２４ｂを備え、電極部２３ａと絶縁されているダミー電極部（非電極部）２３ｂとを有する。ここで、電極部２３ａの電極配線パターン２４ａと、ダミー電極部２３ｂのダミー電極配線パターン２４ｂとは、図示例では、同一のメッシュ形状（菱形）を持つ配線パターンであり、両者が合成されてメッシュ状配線２１の配線パターン２４となる。
【００６７】
なお、電極部２３ａは、図１に示す導電層２８の導電部１６、図３に示す導電層２８ａの第１導電部１６ａ、図１４に示す導電層２８ａ及び２８ｂのそれぞれの第１導電部１６ａ及び第２導電部１６ｂによって構成されるものであり、ダミー電極部（非電極部）２３ｂは、図３及び図１４に示すダミー電極部２６によって構成されるものである。
ここで、図示例の電極部２３ａの電極配線パターン２４ａは、Ｘ電極を構成する電極パターンであるが、本発明はこれに限定されず、静電容量式タッチセンサ（パネル）に用いられる電極パターンであれば、どのようなものでも良く、例えば、ストライプ電極、バーアンドストライプ電極、ダイヤモンド電極、スノーフレーク電極等の従来公知の電極パターンであっても良い。
【００６８】
電極部２３ａにおいてメッシュ状に形成された金属細線１４は、断線部２５を持たず、連続しているのに対し、ダミー電極部２３ｂにおいてメッシュ状に形成された金属細線１４には、複数の断線部（切断部）２５が設けられており、複数の断線が付加されている。電極部２３ａにおける金属細線１４とダミー電極部２３ｂにおける金属細線１４との間には、必ず断線部２５が設けられており、電極部２３ａの金属細線１４とダミー電極部２３ｂの金属細線１４とは断線されており、不連続である。即ち、ダミー電極部２３ｂは、電極部２３ａと電気的に絶縁されている。
以上から、メッシュ状配線２１の配線パターン２４は、複数の断線部２５を含むメッシュパターンとなる。
【００６９】
ところで、表示ユニット３０のＢＭパターン３８のＢＭ３４の画素３２の開口（副画素３２ｒ、３２ｇ、３２ｂ）の形状が、例えば、図４、図７Ｃ及びＤ及び図１８Ａに示すように、長方形又は略長方形であり、その長手方向がｙ軸、短手方向がｘ軸となるように、ｘｙ２次元座標上に配置されている場合、ＢＭ３４の空間周波数特性は、対称又は略対称なピーク強度を持つ。
例えば、図１８Ａに示すように、ＢＭ３４の画素３２の開口（副画素３２ｒ）の形状が、長方形の場合、ＢＭパターン３８のスペクトルピークの位置、即ち周波数座標ｆｘｆｙ上のＢＭ３４のピーク位置は、及びピーク強度は、図１８Ｂに示すように、ｆｘ軸、ｆｙ軸に対してそれぞれ対称である。図中、ピーク位置Ｐａ，Ｐｂ，Ｐｃ及びＰｄのピーク強度Ｐａ，Ｐｂ，Ｐｃ及びＰｄは、同じになる（Ｐａ＝Ｐｂ＝Ｐｃ＝Ｐｄ）。なお、図１８Ｂにおいて、本来は、各格子点に何らかのピーク強度を持つが、説明に必要な部分のみを記載し、他は省略されている。
【００７０】
このように、ＢＭのピーク強度分布が左右対称であれば、図１８Ｃに拡大して示すように、ＢＭパターン３８に重畳される導電性フイルム６０（１０、１１）の配線メッシュパターン６２（２４）のスペクトルピークの位置、即ち周波数座標ｆｘｆｙ上のメッシュのピーク位置及びピーク強度Ｐα、Ｐβも、ｆｘ軸、ｆｙ軸に対してそれぞれ対称（左右対称：Ｐα＝Ｐβ）となるのが好ましく、したがって、配線メッシュパターン６２は、対称（左右対称）メッシュパターンであるのが好ましい。その理由は、ＢＭのピーク位置Ｐａ，Ｐｂと、メッシュのピーク位置Ｐα、Ｐβとの間の各距離Ｐａ−Ｐα、Ｐｂ−Ｐβは、モアレの周波数を表し、両者の周波数ピークのベクトル強度の積がモアレの強度を表すが、両者のモアレの周波数及びモアレの強度は、同じ又は類似の値となるので、これらのモアレの周波数及びモアレの強度からモアレの評価指標を求め、求められたモアレの評価指標が所定値（−１．７５）以下となる配線メッシュパターン６２を求めることが容易にできるからである。
【００７１】
一方、ＢＭパターン３８のＢＭ３４の画素３２の開口（副画素３２ｒ）の長方形の形状が、例えば、図１９Ａに示すように、ｙ軸に対して所定角度傾斜してｘｙ２次元座標上に同様に配置されている場合、ＢＭ３４の空間周波数特性は、非対称なピーク強度を持つ。
例えば、図１９Ａに示すように、ＢＭ３４の画素３２の開口（副画素３２ｇ）の形状が、ｙ軸に対して所定角度傾斜した長方形の場合、ＢＭパターン３８のスペクトルピークの位置、即ち周波数座標ｆｘｆｙ上のＢＭ３４のピーク位置は、及びピーク強度は、図１９Ｂに示すように、ｆｘ軸、ｆｙ軸に対してそれぞれ非対称である。図中、ピーク位置Ｐａ及びＰｄのピーク強度Ｐｅ及びＰｈは同じ（Ｐｅ＝Ｐｈ）で、ピーク位置Ｐｆ及びＰｇのピーク強度Ｐｆ及びＰｇは、同じ（Ｐｆ＝Ｐｇ）になるが、ピーク位置Ｐｅのピーク強度Ｐｅと、ピーク位置Ｐｆのピーク強度Ｐｇとは、位置及び強度とも異なる（Ｐｆ≠Ｐｇ）。なお、図１９Ｂにおいても、本来は、各格子点に何らかのピーク強度を持つが、説明に必要な部分のみを記載し、他は省略されている。
【００７２】
このように、ＢＭのピーク強度分布が左右非対称であれば、図１９Ｃに拡大して示すように、ＢＭパターン３８に重畳される導電性フイルム６０の配線メッシュパターン６２のスペクトルピークの位置、即ち周波数座標ｆｘｆｙ上のメッシュのピーク位置及びピーク強度Ｐγ、Ｐδも、ｆｘ軸、ｆｙ軸に対してそれぞれ非対称（左右非対称：Ｐγ≠Ｐδ）となるのが好ましく、したがって、配線メッシュパターン６２は、非対称（左右非対称）メッシュパターンであるのが好ましい。その理由は、ＢＭのピーク位置Ｐｅ，Ｐｆと、メッシュのピーク位置Ｐγ、Ｐδとの間の各距離Ｐｅ−Ｐγ、Ｐｆ−Ｐδは、モアレの周波数を表し、両者の周波数ピークのベクトル強度の積がモアレの強度を表すが、ＢＭのピーク強度Ｐｅとピーク強度Ｐｆとが異なり、例えば、ピーク強度Ｐｆの方がピーク強度Ｐｅより大きい場合、スペクトル強度がｆｘ軸、ｆｙ軸に対してそれぞれ対称にならないので、メッシュのピーク位置Ｐγ、Ｐδを変えて、換言すれば、図中左側のモアレの周波数ｆＩ（Ｐｅ−Ｐγ）と、図中右側のモアレの周波数ｆII（Ｐｆ−Ｐδ）とで、周波数を変えると、モアレの視認性が改善するからである。即ち、メッシュのピーク位置Ｐγ、Ｐδを左右で非対称になるように、配線メッシュパターン６２を非対称パターンにすることにより、モアレの視認性を改善することができる。
このように、ＢＭの開口が、左右対称とならない場合には、ＢＭの空間周波数特性が、非対称なピーク強度を持つ、即ちスペクトル強度がｆｘ軸、ｆｙ軸に対してそれぞれ対称にならないケースでは、左右非対称なメッシュパターンを用いることにより、モアレの視認性を改善することができる。このような場合にも、求められたモアレの周波数及びモアレの強度からモアレの評価指標を求め、求められたモアレの評価指標が所定値（−１．７５）以下となる配線メッシュパターン６２を求めるのは、勿論である。
【００７３】
なお、本発明においては、本発明に従って求められるモアレの評価指標が所定値（−１．７５）以下であれば、ＢＭパターン３８は、対称なピーク強度分布を持つパターンであっても、非対称なピーク強度分布を持つパターンであっても良いし、このようなＢＭパターン３８に重畳される導電性フイルム６０の配線パターン６２のピーク強度分布も、対称であっても、非対称であっても良く、従ってメッシュパターンのパターン形状も、対称であっても、非対称であっても良いのは、勿論である。
【００７４】
以下に、本発明を実施例に基づいて具体的に説明する。
図８Ａに示すＢＭパターン３８に対して、図１６Ａ、図１６Ｂ、図１６Ｃ及び図１６Ｄ並びに図１７に示す種々のパターン形状を持ち（開口部２２の形状及びサイズが異なり）、金属細線１４の線幅の異なる多数の配線パターン６２について、シミュレーションサンプル及び実サンプルで、配線パターン６２とＢＭパターン３８とを重畳し、モアレの評価指標を求めると共に、３名の研究員が、重畳された両者の干渉によって生じるモアレを目視で官能評価した。
その結果を表１〜表４に示す。
【００７５】
ここで、官能評価結果は、１〜６の６段階で行い、１名でもモアレが視認されて気になると評価する研究員がいる場合は、「気になる」評価として１と評価し、１と評価をする研究員がいない場合であって１名でもわずかにモアレが視認されてわずかに気になると評価する研究員がいる場合は、「わずかに気になる」評価として２と評価し、１及び２と評価をする研究員がいない場合であって、ほとんど気にならないと評価する２名以上の研究員がいる場合は、「ほとんど気にならない」評価として３と評価し、３と評価をする研究員が１名で、気にならないと評価する研究員が２名いる場合は、「ほぼ気にならない」評価として４と評価し、気にならないと評価する研究員が１名以上いて、残りの研究員が全く気にならないと評価する場合は、「気にならない」評価として５と評価し、全員が全く気にならないと評価した場合は、「全く気にならない」評価として６と評価した。
【００７６】
本実施例における実施条件は、ディスプレイの輝度Ｌは５００ｃｄとし、観察距離ｄは、１５０ｍｍ，２００ｍｍ，２５０ｍｍ，３００ｍｍ，４００ｍｍ，５００ｍｍの６つの観察距離ｄ１〜ｄ６とし、観察距離ｄにおけるディスプレイの表示面の視野角Ｘ０（ｄｅｇ）は、評価面積が４０ｍｍｘ４０ｍｍになるよう観察距離ｄに依存して調整して求めた。
本実施例において用いられるＢＭパターン３８は、図８Ｂに示す屈曲した帯形状であり、Ｇフィルタの副画素３２ｇの形状は、長さ方向の中央で図中水平方向に対して８０°屈曲しており、帯幅が４８μｍ、長さが図中垂直方向で９２μｍ、１画素の形状（画素ピッチＰｈ×Ｐｖ）が１６８μｍ×１６８μｍであった。
【００７７】
表１、表２及び表３は、それぞれ配線パターン６２の金属細線１４の線幅が、２μｍ、４μｍ及び６μｍである場合の実施例及び比較例を示し、表４は、配線パターン６２の金属細線１４の線幅が、２μｍ、４μｍ及び６μｍである場合の実施例を示す。
ここで、表１に示す実施例１〜１０は、いずれも金属細線１４の線幅が２μｍであり、配線パターン６２の開口部２２の形態が菱形１〜１０である図１６Ａに示す菱形パターンであり、図１６Ｅに拡大して示す開口部２２の菱形の１辺の長さｐと長い対角線と１辺のなす角θとがｐ／θとして記載されているパラメータがそれぞれ異なる配線パターン６２である。
なお、表２に示す実施例２１〜３０も、表３に示す実施例４１〜５０も、金属細線１４の線幅が異なる以外は、それぞれ表１に示す実施例１〜１０と同一の形態、即ち菱形１〜１０を持つ菱形パターンを持つ配線パターン６２である。
【００７８】
表１に示す実施例１１〜１５は、いずれも金属細線１４の線幅が２μｍであり、配線パターン６２の開口部２２の形態が正六角形１〜５であり、２層のメッシュ状配線パターンによって形成される配線パターン６２が図１６Ｂ及び図１６Ｃのいずれかに示す六角形パターンであり、図１６Ｆに拡大して示す開口部２２の正六角形の１辺の長さｐと正六角形が並列される１辺と直交する方向（図中水平方向）に対する正六角形の回転角θとが各層のメッシュ状配線パターンについてｐ／θとして２つ記載されているパラメータがそれぞれ異なる配線パターン６２である。
ここで、実施例１１及び１５は、それぞれ、開口部２２の形態が六角形１及び５で表され、図１６Ｂに示すように、２層のメッシュ状配線パターンの両者の開口部の六角形状、サイズ及び回転角が同一で、両者がずれることなくぴったり重なった配線パターン６２である。実施例１２は、開口部２２の形態が六角形２で表され、図１６Ｃに示すように、２層のメッシュ状配線パターンの開口部の六角形状及び回転角θ２６°は同一であるが、サイズ、即ち１辺の長さｐが１４８μｍと１２４μｍとで異なる配線パターン６２である。実施例１３及び１４は、それぞれ開口部２２の形態が六角形３及び４で表され、図１６Ｃに類似の、２層のメッシュ状配線パターンの開口部の六角形状は同一であるが、回転角θ及びサイズ、即ち１辺の長さｐが異なる配線パターン６２である。
なお、表２に示す実施例３１及び比較例１〜４も、表３に示す実施例５１及び比較例１１〜１４も、金属細線１４の線幅が異なる以外は、それぞれ表１に示す実施例１１〜１５と同一の形態、即ち六角形１〜５を持つ正六角形パターンを持つ配線パターン６２である。
【００７９】
表１に示す実施例１６〜２０は、いずれも金属細線１４の線幅が２μｍであり、配線パターン６２の開口部２２の形態が正方形である正方格子１〜５である図１６Ｄに示す正方格子パターンであり、図１６Ｇに拡大して示す開口部２２の正方格子の１辺の長さｐが記載されているパラメータがそれぞれ異なる配線パターン６２である。
なお、表２に示す比較例５〜９も、表３に示す比較例１５〜１９も、金属細線１４の線幅が異なる以外は、それぞれ表１に示す実施例１６〜２０と同一の形態、即ち正方格子１〜５を持つ正方格子パターンを持つ配線パターン６２である。
表４に示す実施例６１〜６３は、それぞれ金属細線１４の線幅が２μｍ、４μｍ、６μｍであり、配線パターン６２の開口部２２の形態が非対称１〜３である図１７に示す平行四辺形パターンであり、図１７示す開口部２２の平行四辺形の長辺の長さｐ１と長辺とｙ軸のなす角θ１、短辺の長さｐ２と短辺とｙ軸のなす角θ２とがｐ２／θ２／ｐ１／θ１として記載されているパラメータがそれぞれ異なる配線パターン６２である。
【００８０】
【表１】
2018087984.tif 000005
【００８１】
【表２】
2018087984.tif 000006
【００８２】
【表３】
2018087984.tif 000007
【００８３】
【表４】
2018087984.tif 000008
【００８４】
以上の表１〜表４から、ＢＭパターンがどのようなパターンであっても、ＢＭパターンのピーク強度分布が対称であっても、非対称であっても、また、配線パターンがどのようなパターン、すなわちその金属細線の線幅や、開口部の形状やそのサイズ（ピッチや角度）や、２つの導電層の配線パターンの位相角（回転角、ズレ角）等がどのようなものであっても、また、配線パターンのパターン形状が対称であっても、非対称であっても、モアレの評価指標が、常用対数で−１．７５以下であれば、重畳された配線パターンとＢＭパターンとの干渉によって生じたモアレが視認されても、殆ど気にならないレベル以上であり、常用対数で−１．８９以下であれば、仮にモアレが視認されても略気にならないレベル以上であり、常用対数で−２．０５以下であれば、気にならないレベル以上であり、常用対数で−２．２８以下であれば、全く気にならないレベルであることが分かる。
以上から、上記のモアレの評価指標が、上記範囲を満足する配線パターンを持つ本発明の導電性フィルムは、ディスプレイの解像度が異なっていても、観察距離によらず、モアレの発生を抑止でき、視認性を大幅に向上させることができる。
以上から、本発明の効果は明らかである。
【００８５】
なお、本発明では、上述した実施例のように、予め、種々のパターン形状の配線パターンを準備しておいて、本発明の評価方法によって最適化された配線パターンを持つ導電性フィルムを決定することができるが、１つの配線パターンのモアレの評価指標が、所定値未満である場合には、配線パターンの透過率画像データを新たな配線パターンの透過率画像データに更新して、上述した本発明の評価方法を適用してモアレの評価指標を求めることを繰り返して、最適化された配線パターンを持つ導電性フィルムを決定することもできる。
ここで、更新される新たな配線パターンは、予め準備されたものであっても、新たに作成されたものであっても良い。なお、新たに作成され場合には、配線パターンの透過率画像データの回転角度、ピッチ、パターン幅のいずれか１つ以上を変化させても良いし、配線パターンの開口部の形状やサイズを変更するようにしても良い。更には、これらにランダム性を持たせても良い。
【００８６】
以上に、本発明に係る導電性フイルム、それを備える表示装置及び導電性フイルムの評価方法について種々の実施形態及び実施例を挙げて説明したが、本発明は、上述の実施形態及び実施例に限定されず、本発明の要旨を逸脱しないかぎり、種々の改良や設計の変更を行っても良いことはもちろんである。
【符号の説明】
【００８７】
１０、１１、１１Ａ、１１Ｂ、６０  導電性フイルム
１２  透明基体
１４  金属製の細線（金属細線）
１６、１６ａ、１６ｂ  導電部
１８、１８ａ、１８ｂ  接着層
２０、２０ａ、２０ｂ  保護層
２１  メッシュ状配線
２２  開口部
２３ａ  電極部
２３ｂ  ダミー電極部（非電極部）
２４、６２  配線パターン
２４ａ  電極配線パターン
２４ｂ  ダミー電極配線パターン
２５  断線部（切断部）
２６  ダミー電極部
２８、２８ａ、２８ｂ  導電層
３０  表示ユニット
３２、３２ｒ、３２ｇ、３２ｂ  画素
３４  ブラックマトリクス（ＢＭ）
３８  ＢＭパターン
４０  表示装置
４４  タッチパネル
【図１】
2018087984.tif 000009
【図２】
2018087984.tif 000010
【図３】
2018087984.tif 000011
【図４】
2018087984.tif 000012
【図５】
2018087984.tif 000013
【図６】
2018087984.tif 000014
【図７Ａ】
2018087984.tif 000015
【図７Ｂ】
2018087984.tif 000016
【図７Ｃ】
2018087984.tif 000017
【図７Ｄ】
2018087984.tif 000018
【図８Ａ】
2018087984.tif 000019
【図８Ｂ】
2018087984.tif 000020
【図９Ａ】
2018087984.tif 000021
【図９Ｂ】
2018087984.tif 000022
【図１０】
2018087984.tif 000023
【図１１Ａ】
2018087984.tif 000024
【図１１Ｂ】
2018087984.tif 000025
【図１２Ａ】
2018087984.tif 000026
【図１２Ｂ】
2018087984.tif 000027
【図１３】
2018087984.tif 000028
【図１４】
2018087984.tif 000029
【図１５】
2018087984.tif 000030
【図１６Ａ】
2018087984.tif 000031
【図１６Ｂ】
2018087984.tif 000032
【図１６Ｃ】
2018087984.tif 000033
【図１６Ｄ】
2018087984.tif 000034
【図１６Ｅ】
2018087984.tif 000035
【図１６Ｆ】
2018087984.tif 000036
【図１６Ｇ】
2018087984.tif 000037
【図１７】
2018087984.tif 000038
【図１８Ａ】
2018087984.tif 000039
【図１８Ｂ】
2018087984.tif 000040
【図１８Ｃ】
2018087984.tif 000041
【図１９Ａ】
2018087984.tif 000042
【図１９Ｂ】
2018087984.tif 000043
【図１９Ｃ】
2018087984.tif 000044